(57)【要約】【課題】簡単な構成で、身体の所定の位置、例えば背骨の左右などを、使用者自らが直線状に押圧することができるマッサージ器を提供する。【解決手段】マッサージ器１０は、共通の回転中心軸を有する一対のローラ２５を備えるローラユニット２３と、ローラユニット２３を支持するローラユニット支持部材と、ローラユニット支持部材を端部から所定の距離離れた位置で支持すると共に、回転中心軸に垂直、かつ、二つのローラ２５から等しい距離に配設された長尺状の把持部材１１と、を備えたことを特徴とする。ローラ２５の周縁部は歯車状に形成されている。ローラ２５の周縁部は軟質材で形成されている。【選択図】図１
2013212292.tif 000002
【特許請求の範囲】
【請求項１】
共通の回転中心軸を有する一対のローラを備えるローラユニットと、
前記ローラユニットを支持するローラユニット支持部材と、
前記ローラユニット支持部材を端部から所定の距離離れた位置で支持すると共に、前記回転中心軸に垂直、かつ、二つの前記ローラから等しい距離に配設された長尺状の把持部材と、
を備えたことを特徴とするマッサージ器。
【請求項２】
複数の前記ローラユニットを備え、
複数の前記ローラユニットは、ローラ間の距離がそれぞれ異なることを特徴とする請求項１に記載のマッサージ器。
【請求項３】
第１のローラユニットと、第２のローラユニットを有し、
前記ローラユニット支持部材は、前記把持部材に固定された第１のローラユニット支持部材と、前記第１のローラユニット支持部材に回転可能に連結された第２のローラユニット支持部材とを備え、
前記第２のローラユニット支持部材が第１の位置に位置するとき、第１のローラユニットが使用可能位置に位置し、前記第２のローラユニット支持部材が第１の位置から回転して第２の位置に位置するとき、第２のローラユニットが使用可能位置に位置することを特徴とする請求項２に記載のマッサージ器。
【請求項４】
前記ローラユニットは、前記ローラユニット支持部材に着脱可能であることを特徴とする請求項１乃至３のいずれか１項に記載のマッサージ器。
【請求項５】
前記ローラの周縁部は歯車状に形成されていることを特徴とする請求項１乃至４のいずれか１項に記載のマッサージ器。
【請求項６】
前記ローラの周縁部は軟質材で形成されていることを特徴とする請求項１乃至５のいずれか１項に記載のマッサージ器。
【請求項７】
前記ローラユニット支持部材は、前記把持部材の長手方向中央から所定の距離離れた位置に配設されていることを特徴とする請求項１乃至６のいずれか１項に記載のマッサージ器。
【発明の詳細な説明】
【技術分野】
【０００１】
本発明は、マッサージ器に関する。
【背景技術】
【０００２】
一端が基台に取り付けられたコイルバネの他端に、球面状の押圧子が配設されたあんま器が知られている。このあんま器では、利用者が、身体の被押圧部、例えばつぼなどを、押圧子の上に位置させて、体重をかけることによって被押圧部を押圧する（例えば、特許文献１参照）。
【先行技術文献】
【特許文献】
【０００３】
【特許文献１】特開平１０−１５０２６号公報
【発明の概要】
【発明が解決しようとする課題】
【０００４】
しかし、特許文献１のあんま器では、体の所定の位置を点で押圧するのみであり、直線状に押圧することはできなかった。
【０００５】
本発明は、このような実情に鑑みてなされたものであり、簡単な構成で、身体の所定の位置、例えば背骨の左右などを、使用者自らが直線状に押圧することができるマッサージ器を提供することを目的とする。
【課題を解決するための手段】
【０００６】
上記目的を達成するため、本発明に係るマッサージ器は、
共通の回転中心軸を有する一対のローラを備えるローラユニットと、
前記ローラユニットを支持するローラユニット支持部材と、
前記ローラユニット支持部材を端部から所定の距離離れた位置で支持すると共に、前記回転中心軸に垂直、かつ、二つの前記ローラから等しい距離に配設された長尺状の把持部材と、
を備えたことを特徴とする。
【０００７】
複数の前記ローラユニットを備え、
複数の前記ローラユニットは、ローラ間の距離がそれぞれ異なっていてもよい。
【０００８】
第１のローラユニットと、第２のローラユニットを有し、
前記ローラユニット支持部材は、前記把持部材に固定された第１のローラユニット支持部材と、前記第１のローラユニット支持部材に回転可能に連結された第２のローラユニット支持部材とを備え、
前記第２のローラユニット支持部材が第１の位置に位置するとき、第１のローラユニットが使用可能位置に位置し、前記第２のローラユニット支持部材が第１の位置から回転して第２の位置に位置するとき、第２のローラユニットが使用可能位置に位置するようにしてもよい。
【０００９】
前記ローラユニットは、前記ローラユニット支持部材に着脱可能としてもよい。
【００１０】
前記ローラの周縁部は歯車状に形成されていてもよい。
【００１１】
前記ローラの周縁部は軟質材で形成されていてもよい。
【００１２】
前記ローラユニット支持部材は、前記把持部材の長手方向中央から所定の距離離れた位置に配設されていてもよい。
【発明の効果】
【００１３】
本発明によれば、簡単な構成で、身体の所定の位置、例えば背骨の左右などを、使用者自らが直線状に押圧することができるマッサージ器を提供することができる。
【図面の簡単な説明】
【００１４】
【図１】（ａ）は、本発明の第１の実施形態に係るマッサージ器の平面図であり、（ｂ）は正面図であり、（ｃ）は底面図であり、（ｄ）は右側面図である。
【図２】（ａ）は、本発明の第１の実施形態に係るローラユニットの正面図であり、（ｂ）は、右側面図である。
【図３】（ａ）は、本発明の第２の実施形態に係るマッサージ器の平面図であり、（ｂ）は正面図であり、（ｃ）は底面図であり、（ｄ）は右側面図である。
【図４】（ａ）は、本発明の第３の実施形態に係るマッサージ器の平面図であり、（ｂ）は正面図であり、（ｃ）は底面図である。
【図５】（ａ）は、本発明の第３の実施形態に係るマッサージ器の左側面図であり、（ｂ）は右側面図であり、（ｃ）は（ａ）のＢ−Ｂ断面図であり、（ｄ）は図４（ｂ）のＡ−Ａ断面図である。
【図６】（ａ）は、本発明の第４の実施形態に係るマッサージ器の平面図であり、（ｂ）は正面図であり、（ｃ）は底面図であり、（ｄ）は右側面図である。
【図７】（ａ）は、本発明の第４の実施形態に係るマッサージ器の要部を示す図６（ｂ）のＣ−Ｃ断面図であり、（ｂ）は、図６（ｄ）のＤ−Ｄ断面図である。
【図８】（ａ）は、本発明の第４の実施形態に係るマッサージユニットの正面図であり、（ｂ）は、右側面図であり、（ｃ）は、マッサージユニットの正面図であり、（ｄ）は、右側面図である。
【発明を実施するための形態】
【００１５】
この発明の実施の形態について、図面を参照して詳細に説明する。
【００１６】
（第１の実施形態）
図１（ａ）〜図１（ｄ）に示すように、本発明の実施の形態に係るマッサージ器１０は、把持部材１１と、マッサージユニット２０と、を備える。尚、図１（ａ）〜図１（ｄ）に示す把持部材１１の長手方向をＸ方向、マッサージユニット２０の幅方向をＹ方向、Ｘ方向及びＹ方向に垂直な方向をＺ方向として以下説明する。
【００１７】
図１（ａ）に示すように、把持部材１１は、マッサージユニット２０を支持する支持部１１ａと、支持部１１ａの長手方向両側に形成されているグリップ部１１ｂ、１１ｂと、を備える。
【００１８】
支持部１１ａ及びグリップ部１１ｂは、ポリ塩化ビニル、ポロプロピレン、ポリエチレン、ＡＢＳ樹脂などの硬質樹脂、又はアルミニウム、鉄などの金属、又は木材によって、円筒状又は円柱状に形成されている。
【００１９】
図１（ａ）に示すように、把持部材１１の長手方向中央よりやや−Ｘ側の位置には、マッサージユニット２０が配設されている。例えば、マッサージユニット２０は、把持部材１１の全長が９０ｃｍの場合、マッサージユニット２０のＸ方向の中央が、把持部材１１の−Ｘ側の端部から２５ｃｍの位置に位置するように配設されている。
【００２０】
図１（ｂ）及び図１（ｃ）に示すように、マッサージユニット２０は、ハウジング２１と、ローラ支持板２２と、ローラユニット２３と、を備える。
【００２１】
ハウジング２１は、ハウジング２１が有するＸＹ面のうちの−Ｚ方向の面に略長方形の開口が形成された筐体である。また、ハウジング２１のＸ軸に垂直な面には、把持部材１１の支持部１１ａの外径より僅かに大きい孔（図示せず）が形成されており、ハウジング２１は該孔に支持部１１ａを挿通させた状態で、支持部１１ａに固定されている。
【００２２】
図１（ｂ）及び図１（ｃ）に示すように、ハウジング２１が有するＸＹ面のうちの−Ｚ方向の面に形成された開口の＋Ｙ側及び−Ｙ側の縁部には、対向する位置に、−Ｚ方向に向けて延びる、Ｙ軸に垂直な面を有するローラ支持板２２、２２が配設されている。また、ローラ支持板２２、２２の対向する位置には、後述するローラユニット２３を回転可能に支持する孔２２ａ、２２ａが形成されている。
【００２３】
図２（ａ）に示すように、ローラユニット２３は、ローラ回転軸２４と、一対のローラ２５、２５と、を備えている。
【００２４】
ローラ回転軸２４は、円筒状に形成され、その両端部に、ローラ支持板２２、２２の孔２２ａ、２２ａに支持される軸部２４ａ、２４ａを有している。ローラ回転軸２４には、ローラ回転軸２４の長手方向中央から等しい距離、例えば数センチに、一対のローラ２５、２５が配設されている。
【００２５】
図２（ｂ）に示すように、ローラ２５は、ローラ中央部２５ａと、ローラ周縁部２５ｂと、を備えている。
【００２６】
ローラ中央部２５ａは、硬質樹脂などによってリング状に形成され、ローラ回転軸２４の外周に固定されている。
【００２７】
ローラ周縁部２５ｂは、ローラ中央部２５ａの外周に配設され、天然ゴム、イソプレンゴム、ブタジエンゴム、スチレン−ブタジエンゴム、ブチルゴム、シリコーンゴム、フッ素ゴムのような各種ゴム材料（特に加硫処理したもの）や、各種熱可塑性エラストマーによって略リング状に形成されている。ローラ周縁部２５ｂは、その外形が平歯車状に形成されている。
【００２８】
ローラユニット２３は以上のように構成されているので、ローラ回転軸２４の軸部２４ａ、２４ａがローラ支持板の孔２２ａ、２２ａに支持されると、ローラ２５は、その回転中心軸Ｃが把持部材１１の長手方向に垂直になるように配設される（図１（ｃ）参照）。このとき、ローラ２５、２５は、把持部材１１から等しい距離に位置するように配設される。これにより、ローラ２５、２５を例えば身体に当接させた状態で、把持部材１１を把持部材１１の長手方向に移動させると、ローラ２５、２５は回転しながら、ローラ周縁部２５ｂ、２５ｂで身体を直線状に押圧する。
【００２９】
以上のように構成されたマッサージ器１０は、例えば以下のように使用される。
【００３０】
使用者は、マッサージ器１０のグリップ部１１ｂ、１１ｂを自己の背骨に沿う方向に向けて、ローラ２５、２５を背骨の左右に位置させる。そして、使用者は、グリップ部１１ｂ、１１ｂを右手及び左手で把持し、マッサージ器１０を背骨に沿う方向に移動させて、ローラ２５、２５で背骨の左右を押圧する。
【００３１】
以上説明したように、本実施形態のマッサージ器１０は一対のローラ２５を備えているので、背骨の左右を一度に直線状に押圧することができる。また、使用者の手が届かない背中の中央部を、背骨やその周辺に集まる神経などを傷つけることなく、マッサージすることができる。
【００３２】
また、ローラ周縁部２５ｂ、２５ｂは軟質樹脂から形成されているので、適度な力で身体を押圧することができる。
【００３３】
また、把持部材１１が長尺であるので、使用者自らがマッサージ器１０を持って、自己の身体をマッサージすることができる。
【００３４】
また、マッサージユニット２０が把持部材１１の長手方向中央よりやや端部に寄った位置に位置しているので、マッサージ器１０の上下の向きを変えるだけで、体格が異なる複数の使用者が、同一のマッサージ器１０を使用することができる。また、マッサージ器１０の上下の向きを変えるだけで、同一の使用者が、異なる位置、例えば頭部側と腰部側を押圧することができる。
【００３５】
（第２の実施形態）
次に、この発明の第２の実施形態について、図面を用いて説明する。
【００３６】
マッサージ器の基本的な構成は、第１の実施形態と同様である。この実施の形態では、マッサージユニットが複数のローラユニットを有している点が上記第１の実施形態とは異なる。
【００３７】
図３（ａ）〜図３（ｄ）（特に図３（ｄ））に示すように、マッサージ器３０のマッサージユニット４０は、ハウジング４１と、第１のローラ支持板４２と、第１のローラユニット４３と、第２のローラ支持板４６と、第２のローラユニット４７と、を備える。
【００３８】
図３（ａ）及び図３（ｃ）に示すように、ハウジング４１は、ハウジング４１が有するＸＹ面の＋Ｚ方向及び−Ｚ方向の面に略長方形の開口が形成された筐体である。
【００３９】
図３（ａ）〜図３（ｃ）に示すように、ハウジング４１が有するＸＹ面のうちの−Ｚ方向の面に形成された開口の＋Ｙ側及び−Ｙ側の縁部には、対向する位置に、−Ｚ方向に向けて延びる、Ｙ軸に垂直な面を有する第１のローラ支持板４２、４２が配設されている。また、第１のローラ支持板４２、４２の対向する位置には、後述する第１のローラユニット４３を回転可能に支持する孔４２ａ、４２ａが形成されている。
【００４０】
図３（ａ）〜図３（ｃ）に示すように、ハウジング４１が有するＸＹ面のうちの＋Ｚ方向の面に形成された開口の＋Ｙ側及び−Ｙ側の縁部には、対向する位置に、＋Ｚ方向に向けて延びる、Ｙ軸に垂直な面を有する第２のローラ支持板４６、４６が配設されている。また、ローラ支持板４６、４６の対向する位置には、後述するローラユニット４７を回転可能に支持する孔４６ａ、４６ａが形成されている。
【００４１】
図３（ｄ）に示すように、第１のローラユニット４３は、第１のローラ回転軸４４と、第１のローラ４５、４５と、を備えている。第２のローラユニット４７は、第２のローラ回転軸４８と、第２のローラ４９、４９と、を備えている。
【００４２】
図３（ｄ）に示すように、第１のローラユニット４３は、第１のローラ４５、４５間の距離が、第２のローラユニット４７の第２のローラ４９、４９間の距離よりも大きくなるように形成されている。尚、第１のローラユニット４３及び第２のローラユニット４７の基本的な構成は、第１の実施形態のローラユニット２３と同様である。
【００４３】
以上説明したように、本実施形態のマッサージ器３０は、ローラの間隔が異なる第１のローラユニット４３と第２のローラユニット４７とを備えているので、マッサージ器３０を反転させるだけでローラの間隔を変えて身体をマッサージすることができる。
【００４４】
（第３の実施形態）
次に、この発明の第３の実施形態について、図面を用いて説明する。
【００４５】
マッサージ器の基本的な構成は、第１の実施形態と同様である。この実施の形態では、マッサージユニットが複数のローラユニットを有している点が上記第１の実施形態とは異なる。
【００４６】
図４（ａ）〜図４（ｃ）及び図５（ａ）〜図５（ｄ）に示すように、マッサージ器５０のマッサージユニット６０は、保持部材６１と、ローラ支持部材６２と、ローラ支持部材回転軸６３と、コイルばね６３ａ（図５（ｃ）参照）と、第１のローラユニット６４と、第２のローラユニット６７と、を備えている。
【００４７】
図４（ａ）及び図４（ｂ）に示すように、保持部材６１は、そのＸ軸方向の中央位置が、把持部材１１の長手方向中央よりやや−Ｘ側の位置に配設されている。保持部材６１は、Ｙ軸方向から見て、略Ｕ字状に形成され、板面に垂直な方向がＸ方向とＺ方向との間を向く矩形状の保持板６１ａを有している。また、図５（ｃ）に示すように、保持板６１ａには、後述するローラ支持部材回転軸６３を挿通させるための挿通孔６１ｂが形成されている。
【００４８】
図４（ｂ）及び図５（ｃ）に示すように、ローラ支持部材６２は、保持板６１ａと略同じ大きさの矩形状の天板６２ａ（図５（ｃ）参照）と、天板６２ａの＋Ｙ側及び−Ｙ側の端部から延びたＹ軸に垂直な面を有する一対のローラ支持板６２ｂ、６２ｂ（図５（ｃ）参照）と、を有している。図４（ｂ）に示すように、ローラ支持板６２ｂ、６２ｂの＋Ｘ側の第１の対向する位置には、第１の孔６２ｃ、６２ｃが形成されている。また、ローラ支持板６２ｂ、６２ｂの−Ｘ側の第２の対向する位置には、第２の孔６２ｄ、６２ｄが形成されている。また、図５（ｃ）に示すように、天板６２ａには、後述するローラ支持部材回転軸６３を挿通させるための挿通孔６２ｅが形成されている。
【００４９】
図５（ｃ）に示すように、保持部材６１の挿通孔６１ｂと、ローラ支持部材６２の挿通孔６２ｅには、下端に鍔部６３ｂが形成されたローラ支持部材回転軸６３が挿通されている。また、ローラ支持部材回転軸６３は、上端が保持部材６１に固定されている。これにより、ローラ支持部材６２は、ローラ支持部材回転軸６３を中心に回転可能に構成されている。
【００５０】
また、ローラ支持部材回転軸６３の鍔部６３ｂと天板６２ａとの間には、ローラ支持部材回転軸６３に挿通された状態で、圧縮状態のコイルばね６３ａが配設されている。そのため、天板６２ａは、コイルばね６３ａによって、保持板６１ａ側に付勢されている。
【００５１】
また、図５（ｄ）に示すように、保持部材６１の保持板６１ａには、天板６２ａ側に向かって突出する凸部６１ｃが形成され、ローラ支持部材６２の天板６２ａには、保持板６１ａの凸部に対応する位置に、溝６２ｆが形成されている。凸部６１ｃと溝６２ｆは、天板６２ａがコイルばね６３ａによって保持板６１ａ側に付勢されたとき、嵌合して、ローラ支持部材６２が容易に回転しないようにするためのストッパを構成している。
【００５２】
ローラ支持部材６２は、コイルばね６３ａの付勢力に抗して図５（ｃ）の白抜き矢印方向に移動させられて凸部６１ｃと溝６２ｆとの嵌合が解除されると、ローラ支持部材回転軸６３を中心に回転可能となるように構成されている。
【００５３】
図４（ｃ）に示すように、第１のローラユニット６４は、第１のローラ回転軸６５と、第１のローラ６６、６６と、を備えている。第２のローラユニット６７は、第２のローラ回転軸６８と、第２のローラ６９、６９と、を備えている。
【００５４】
図４（ｃ）に示すように、第１のローラユニット６４は、第１のローラ６６、６６間の距離が、第２のローラユニット６７の第２のローラ６９、６９間の距離よりも小さくなるように形成されている。尚、第１のローラユニット６４及び第２のローラユニット６７の基本的な構成は、第１の実施形態ローラユニット２３と同様である。
【００５５】
第１のローラユニット６４は、以上のように構成されているので、第１のローラユニット６４をローラ支持板６２ｂ、６２ｂの＋Ｘ側の第１の孔６２ｃ、６２ｃに取り付けると、第１のローラ６６、６６は、その回転中心軸が、把持部材１１の長手方向に垂直になるように、ローラ支持部材６２に配設される（図４（ｃ）参照）。また、第２のローラユニット６７は、以上のように構成されているので、第２のローラユニット６７をローラ支持板６２ｂ、６２ｂの−Ｘ側の第２の孔６２ｄ、６２ｄに取り付けると、第２のローラ６９、６９は、その回転中心軸が、把持部材１１の長手方向に垂直になるように、ローラ支持部材６２に配設される（図４（ｃ）参照）。
【００５６】
このとき、図４（ｂ）に示すように、第２のローラ６９、６９が、第１のローラ６６、６６よりも把持部材１１から遠い位置に位置する。そのため、使用者は、この状態では、ローラ同士の距離が大きい第２のローラ６９、６９を使用することができる。
【００５７】
使用者がローラ同士の距離が小さい第１のローラ６６、６６を使用する場合には、使用者は、ローラ支持部材６２を、コイルばね６３ａの付勢力に抗して図５（ｃ）の白抜き矢印方向に移動させてストッパを解除し、ローラ支持部材６２をローラ支持部材回転軸６３まわりに１８０°回転させればよい。
【００５８】
以上説明したように、本実施形態のマッサージ器５０は、ローラの間隔が異なる２つのローラユニットを備えているので、簡単にローラの間隔を変更することができる。
【００５９】
（第４の実施形態）
図６（ａ）〜図６（ｄ）、図７（ａ）、図７（ｂ）及び図８（ａ）〜図８（ｄ）に示すように、本発明の実施の形態に係るマッサージ器７０は、把持部材７１と、ナット７２と、第１のマッサージユニット８０と、第２のマッサージユニット９０と、を備える。
【００６０】
図６（ａ）に示すように、把持部材７１は、把持部材７１の長手方向中央よりやや−Ｘ側に位置する第１及び第２のマッサージユニット８０、９０を支持する支持部７１ａと、支持部７１ａの長手方向両側に形成されているグリップ部７１ｂ、７１ｂと、を備える。把持部材７１は、＋Ｘ方向及び−Ｘ方向に向かうにつれて先細り状に形成された支持部７１ａに、細長直方体状のグリップ部７１ｂ、７１ｂが連設して形成されている。
【００６１】
図７（ａ）及び図７（ｂ）に示すように、支持部７１ａが有するＸＹ面のうちの−Ｚ方向の面には、後述する第１及び第２のマッサージユニット８０、９０を収容するための開口が形成されている。また、支持部７１ａが有するＸＹ面のうちの＋Ｚ方向の面には、第１及び第２のマッサージユニット８０、９０のボルト部を挿通させるための孔７１ｃが形成されている。
【００６２】
図７（ａ）及び図７（ｂ）に示すように、ナット７２は、後述する第１及び第２のマッサージユニット８０、９０のボルト部と螺合して、第１及び第２のマッサージユニット８０、９０を把持部材７１に取り付けるためのナットである。
【００６３】
支持部７１ａ、グリップ部７１ｂ、７１ｂ及びナット７２は、ポリ塩化ビニル、ポロプロピレン、ポリエチレン、ＡＢＳ樹脂などの硬質樹脂によって形成されている。
【００６４】
図６（ｃ）、図８（ａ）及び図８（ｂ）に示すように、第１のマッサージユニット８０は、ハウジング８１と、ローラ回転軸８２と、一対のローラ８３、８３と、を備えている。
【００６５】
図７（ａ）及び図７（ｂ）に示すように、ハウジング８１は、ハウジング８１が有するＸＹ面のうちの−Ｚ方向の面に略長方形の開口が形成された筐体である。また、ハウジング８１は、ハウジング８１が有するＸＹ面のうちの＋Ｚ方向の面に、＋Ｚ方向に向かうボルト部８１ａを有している。ハウジング８１のＹ軸に垂直な面の対向する位置には、後述するローラ回転軸８２の端部を挿入するための孔８１ｂ、８１ｂが形成されている。
【００６６】
ローラ回転軸８２は、円筒状に形成され、その両端部に、ハウジング８１の孔８１ｂ、８１ｂに支持される軸部８２ａ、８２ａを有している。ローラ回転軸８２には、ローラ回転軸８２の長手方向中央から等しい距離、例えば数センチに、一対のローラ８３、８３が配設されている。尚、ローラ回転軸８２及びローラ８３の基本的な構成は、第１の実施形態のローラ回転軸２４、ローラ２５と同様である。
【００６７】
第１のマッサージユニット８０は、ローラ回転軸８２の軸部８２ａ、８２ａが、ハウジング８１に形成された孔８１ｂ、８１ｂに支持されて、形成されている。
【００６８】
図８（ｃ）及び図８（ｄ）に示すように、第２のマッサージユニット９０は、ハウジング９１と、ローラ回転軸９２と、一対のローラ９３、９３と、を備えている。マッサージユニット９０は、ローラ９３、９３間の距離が、マッサージユニット８０のローラ８３、８３間の距離より小さくなるように形成されている以外は、マッサージユニット８０と同様に形成されている。
【００６９】
以上のように構成された第１のマッサージユニット８０は、把持部材７１に以下のようにして取り付けられる。まず、第１のマッサージユニット８０を、支持部７１ａの−Ｚ方向の面に形成された開口から支持部７１ａに収容し、ボルト部８１ａを把持部材７１の孔７１ｃに挿通させる。そして、孔７１ｃから＋Ｚ方向に突出したボルト部８１ａにナット７２を螺合させる。これにより、マッサージユニット８０は、把持部材７１に取り付けられる。
【００７０】
第１のマッサージユニット８０が把持部材７１に取り付けられると、第１のマッサージユニット８０のローラ８３、８３は、その回転中心軸が把持部材７１の長手方向に垂直になるように配設される。また、ローラ８３、８３は、把持部材７１から等しい距離に位置するように配設される。
【００７１】
第２のマッサージユニット９０も、第１のマッサージユニット８０と同様に把持部材７１に取り付けられる。これにより、使用者は、必要に応じて、第１のマッサージユニット８０と、第２のマッサージユニット９０とを、取り替えることができる。
【００７２】
これにより、ローラ８３、８３又はローラ９３、９３を例えば身体に当接させた状態で、把持部材７１を把持部材７１の長手方向に移動させると、ローラ８３、８３又はローラ９３、９３は回転しながら、ローラ周縁部で身体を直線状に押圧する。
【００７３】
以上説明したように、本実施形態のマッサージ器７０は、第１のマッサージユニット８０及び第２のマッサージユニット９０が把持部材７１にナット７２で取り付けられているので、ローラの間隔が異なるマッサージユニットに簡単に付け替えることができる。
【００７４】
以上、本発明の実施の形態について説明したが、この発明は上述した実施の形態に限定されず、種々の変形および応用が可能である。例えば、上述した実施の形態では、マッサージユニットが、把持部材の長手方向中央よりやや−Ｘ側の位置に配設されていたが、これに限定されるものではない。マッサージユニットは、把持部材の長手方向中央に位置していてもよい。また、マッサージユニットは、公知のスライド機構で把持部材をスライドさせて位置を変更できるようにしてもよい。
【００７５】
また、上述の実施形態では、ローラユニットのローラ回転軸は、１本の円筒状の部材で一体的に形成されていたが、これに限定されるものではない。例えば第１の実施形態では、ローラ回転軸２４は、ローラ２５、２５間の中央部分と、その両端部（軸部２４ａとローラ２５が配設された部分）とが分割されて、公知の手段、例えば接着材やボルトナットなどで一体となるように構成されていてもよい。これにより、ローラユニット２３をローラ支持板２２、２２に簡単に取り付けることができる。
【００７６】
また、上述の実施形態では、ローラユニットのローラは、ローラ回転軸に配設されていたが、これに限定されるものではなく、ローラ回転軸を有していなくてもよい。例えば第１の実施形態では、ローラ２５、２５は、それぞれのローラ２５がローラ支持板２２に回転可能に配設され、その回転中心軸Ｃが共通であれば、ローラ回転軸２４を有していなくてもよい。
【００７７】
また、上述第１〜第４の実施形態では、把持部材は、長手方向に一体的に形成されていたが、これに限定されるものではない。把持部材は、適切な長さで分割されていて、公知の手段、例えば接着剤やボルトナットなどで一体となるように構成されていてもよい。
【００７８】
また、上述の第１及び第２の実施形態では、マッサージユニットのハウジングは、ハウジングに形成された孔に把持部材を挿通させた状態で、把持部材に固定されているが、これに限定されるものではない。把持部材は、ハウジングの＋Ｘ側と−Ｘ側とに分割されており、＋Ｘ側の把持部材がハウジングの＋Ｘ側の端部に、−Ｘ側の把持部材がハウジングの−Ｘ側の端部に、公知の手段、例えば、接着剤やボルトナットなどで接続できるようにしてもよい。
【００７９】
尚、第１の実施形態のマッサージ器１０の背面図は、正面図と対称に表れるため省略している。また、第１の実施形態のマッサージ器１０の左側面図は、右側面図と対称に表れるため省略している。
【００８０】
尚、第２の実施形態のマッサージ器３０の背面図は、正面図と対称に表れるため省略している。また、第２の実施形態のマッサージ器３０の左側面図は、右側面図と対称に表れるため省略している。
【００８１】
尚、第３の実施形態のマッサージ器５０の背面図は、正面図と対称に表れるため省略している。
【００８２】
尚、第４の実施形態のマッサージ器７０の背面図は、正面図と対称に表れるため省略している。また、第２の実施形態のマッサージ器３０の左側面図は、右側面図と対称に表れるため省略している。
【符号の説明】
【００８３】
１０    マッサージ器
１１    把持部材
１１ａ  支持部１１ａ
１１ｂ  グリップ部
２０    マッサージユニット
２１    ハウジング
２２    ローラ支持板
２２ａ  孔
２３    ローラユニット
２４    ローラ回転軸
２４ａ  軸部
２５    ローラ
２５ａ  ローラ中央部
２５ｂ  ローラ周縁部
３０    マッサージ器
４０    マッサージユニット
４１    ハウジング
４２    第１のローラ支持板
４２ａ  孔
４３    第１のローラユニット
４４    第１のローラ回転軸
４５    第１のローラ
４６    第２のローラ支持板
４６ａ  孔
４７    第２のローラユニット
４８    第２のローラ回転軸
４９    第２のローラ
５０    マッサージ器
６０    マッサージユニット
６１    保持部材
６１ａ  保持板
６１ｂ  挿通孔
６１ｃ  凸部
６２    ローラ支持部材
６２ａ  天板
６２ｂ  ローラ支持板
６２ｃ  第１の孔
６２ｄ  第２の孔
６２ｅ  挿通孔
６２ｆ  溝
６３    ローラ支持部材回転軸
６３ａ  コイルばね
６４    第１のローラユニット
６５    第１のローラ回転軸
６６    第１のローラ
６７    第２のローラユニット
６８    第２のローラ回転軸
６９    第２のローラ
７０    マッサージ器
７１    把持部材
７１ａ  支持部
７１ｂ  グリップ部
７１ｃ  孔
７２    ナット
８０    第１のマッサージユニット
８１    ハウジング
８１ａ  ボルト部
８１ｂ  孔
８２    ローラ回転軸
８２ａ  軸部
８３    ローラ
９０    第２のマッサージユニット
９１    ハウジング
９２    ローラ回転軸
９３    ローラ
【図１】
2013212292.tif 000003
【図２】
2013212292.tif 000004
【図３】
2013212292.tif 000005
【図４】
2013212292.tif 000006
【図５】
2013212292.tif 000007
【図６】
2013212292.tif 000008
【図７】
2013212292.tif 000009
【図８】
2013212292.tif 000010
【手続補正書】
【提出日】平成24年8月3日(2012.8.3)
【手続補正１】
【補正対象書類名】図面
【補正対象項目名】図８
【補正方法】変更
【補正の内容】
【図８】
2013212292.tif 000011